(57)【要約】【課題】  特に、就寝姿勢においてここちよく眠るための着け心地の良さを維持しつつ、さらに、サポート感を実感できるよう着用安定性を向上させた、カップ部を有する衣類を提供することを目的とする。【解決手段】  カップ部１０１は、立位におけるバージスラインに沿う形状のカップくりＣを有し、カップくりＣの内側下部にサポート部材１１０が設けられており、サポート部材１１０は、内バージス点Ｉとバストトップ点Ｔと下カップ点Ｕとを順に結び形成される角の二等分線とバージスラインとの交点Ｘと、脇バージス点Ｏとを少なくとも通り、バストの膨らみの周縁部に対応する部分に沿ってカップ部１０１の下部に設けられており、かつ、サポート部材１１０のバストトップ点Ｔ側の縁部は衣類を構成する他の部材に固定されていないことを特徴とする。【選択図】  図１Ａ
2015190079.tif 000002
【特許請求の範囲】
【請求項１】
カップ部を有する衣類であって、
一対のカップ部、カップ支持部、肩ストラップ、およびバック布を備え、
前記カップ支持部は、前記一対のカップ部の下縁に設けられ、
前記肩ストラップは、前記一対のカップ部の上部に設けられ、
前記バック布は、前記カップ部の脇側に設けられ、
前記カップ部は、立位におけるバージスラインに沿う形状のカップくりを有し、前記カップくりの内側下部にサポート部材が設けられており、
前記サポート部材は、
下記で定義される内バージス点とバストトップ点と下記で定義される下カップ点とを順に結び形成される角の二等分線とバージスラインとの交点と、
下記で定義される脇バージス点と
を少なくとも通り、バストの膨らみの周縁部に対応する部分に沿って前記カップ部の下部に設けられており、かつ、
前記サポート部材のバストトップ点側の縁部は、前記衣類を構成する他の部材に固定されていない
ことを特徴とするカップ部を有する衣類。
内バージス点：バストトップ点を通る水平線と、バストの膨らみの前中心側の
バージスラインとの交点
下カップ点  ：バストトップ点を通る垂線と下部バージスラインとの交点
脇バージス点：バストトップ点を通る水平線と、バストの膨らみの脇側の
バージスラインとの交点
【請求項２】
前記カップ部のカップくりの形状は、仰臥位におけるバージスラインに沿う形状に変化可能である、請求項１記載のカップ部を有する衣類。
【請求項３】
前記カップ部のカップくりは、前中心側において、前記内バージス点よりも上方まで延びている、請求項１または２記載のカップ部を有する衣類。
【請求項４】
さらに、前側サポート部材を備え、
前記前側サポート部材は、
前記内バージス点と、前記角の二等分線とバージスラインとの交点とを少なくとも通り、バストの膨らみの周縁部に対応する部分に沿って前記カップ部の前中心側に設けられており、かつ、
前記前側サポート部材のバストトップ点側の縁部は前記衣類を構成する他の部材に固定されていない、請求項１から３のいずれか一項に記載のカップ部を有する衣類。
【請求項５】
前記サポート部材と前記前側サポート部材とは、下部バージスラインにおいて少なくとも一部が重なるように配置されている、請求項４記載のカップ部を有する衣類。
【請求項６】
前記サポート部材と前記前側サポート部材とで、バストの膨らみの周縁部を一周取り囲んでいる、請求項４または５記載のカップ部を有する衣類。
【請求項７】
衣類がブラジャーである、請求項１から６のいずれか一項に記載のカップ部を有する衣類。
【請求項８】
前記カップ部は、バストを露出させた状態で保持するように形成されている、請求項１から７のいずれか一項に記載のカップ部を有する衣類。
【発明の詳細な説明】
【技術分野】
【０００１】
本発明は、カップ部を有する衣類に関し、特に、就寝時において好適に着用することができるブラジャー等のカップ部を有する衣類に関するものである。
【背景技術】
【０００２】
従来、ブラジャー等のカップ部を有する衣類は、日中の起きている間に着用され、就寝時には外されている場合が多かったが、近年では就寝時にブラジャーが着用される場合も増えている。就寝時にブラジャーを着けている理由は、「バストが垂れて型崩れをさせないようにするため。」、「着けないとバストが移動して安定せず、落ち着かない。」等である。しかし、ブラジャーを着けていることにより、「アンダーバスト部分の締め付け感がある。」、「ワイヤーが肌に当たって不快感がある。」等の問題点が挙げられた。
【０００３】
市販されている大半のブラジャーは、立ち姿勢を基準として設計され、立ち姿勢時にバストを引き上げると共に前方に寄せて、美しく外観を保持する構成とされている。即ち、立ち姿勢でのバスト膨出部の外輪線の下縁から左右両側縁に沿ってワイヤーを取り付け、該ワイヤーでバストを垂れ下がらずに上向きとなるように肩ストラップによって支持すると共に脇側に流れないように前向きに寄せる構成とされ、かつ、背面の留め具で土台部を背面側に引っ張ってカップ部を位置決め保持している。
【０００４】
前記した一般的なブラジャーは、就寝時に着用することを意図していないため、就寝時に着用すると締付感や窮屈感が生じることとなる。そこで、就寝時に着用することを前提としたブラジャーが提案されている（例えば、特許文献１および２参照。）。
【先行技術文献】
【特許文献】
【０００５】
【特許文献１】特開２００５−２３４９７号公報
【特許文献２】特開２００９−２２８１４６号公報
【発明の概要】
【発明が解決しようとする課題】
【０００６】
しかし、従来の就寝時用ブラジャーは、就寝時の仰向け姿勢（仰臥姿勢）や横向き姿勢（側臥姿勢）でのバージスラインを基準とした設計がなされていた。そのため、就寝時における窮屈感や締付感はない一方で、就寝時用ブラジャー着用開始時から実際に就寝するまでの間、すなわち立位状態においては、安定支持が不十分となりやすい。就寝時用ブラジャー着用者に対する調査を行ったところ、全体の８０％以上が入浴後に着用し、２時間以上たってから就寝するとの結果が得られており、「就寝時用ブラジャーは就寝直前に着用する」割合よりも、「入浴の際に就寝時の衣類に着替え、その着衣のまま就寝までの時間を過ごす」割合が高くなっている。
【０００７】
本発明は、特に、就寝姿勢においてここちよく眠るための着け心地の良さを維持しつつ、さらに、サポート感を実感できるよう着用安定性を向上させた、カップ部を有する衣類を提供することを目的とする。
【課題を解決するための手段】
【０００８】
前記目的を達成するために、本発明のカップ部を有する衣類は、
一対のカップ部、カップ支持部、肩ストラップ、およびバック布を備え、
前記カップ支持部は、前記一対のカップ部の下縁に設けられ、
前記肩ストラップは、前記一対のカップ部の上部に設けられ、
前記バック布は、前記カップ部の脇側に設けられ、
前記カップ部は、立位におけるバージスラインに沿う形状のカップくりを有し、前記カップくりの内側下部にサポート部材が設けられており、
前記サポート部材は、
下記で定義される内バージス点とバストトップ点と下記で定義される下カップ点とを順に結び形成される角の二等分線とバージスラインとの交点と、
下記で定義される脇バージス点と
を少なくとも通り、バストの膨らみの周縁部に対応する部分に沿って前記カップ部の下部に設けられており、かつ、
前記サポート部材のバストトップ点側の縁部は、前記衣類を構成する他の部材に固定されていない
ことを特徴とする。
内バージス点：バストトップ点を通る水平線と、バストの膨らみの前中心側の
バージスラインとの交点
下カップ点  ：バストトップ点を通る垂線と下部バージスラインとの交点
脇バージス点：バストトップ点を通る水平線と、バストの膨らみの脇側の
バージスラインとの交点
【発明の効果】
【０００９】
本発明のカップ部を有する衣類は、カップ部を有する衣類において、ここちよく眠るための着け心地の良さを維持しつつ、サポート感を実感できるよう着用安定性を向上させることができる。また、衣類のサイズ設定において、例えば、ＪＩＳ規格における各サイズ区分の境目近傍のボデイサイズに該当する着用者においても、バストの膨らみの周縁部（以下、「バスト裾野」と呼ぶ場合がある。）を安定して保持することができ、衣類のアンダーバスト部分がズレ上がるといった着崩れを防ぐことが可能となる。
【図面の簡単な説明】
【００１０】
【図１Ａ】図１Ａは、本発明のカップ部を有する衣類の一例である、第一の実施形態に係るブラジャーを示す斜視図である。左側のバストを覆うカップ部は、表カップ布を外した状態を示す。
【図１Ｂ】図１Ｂは、本発明のカップ部を有する衣類の一例である、第一の実施形態に係るブラジャーの表カップ布を装着した状態を示す斜視図である。
【図２】図２（ａ）は、立位（立っている状態）におけるヌード状態でのバスト部分の部位を説明する図であり、図２（ｂ）は、図２（ａ）において本発明のブラジャーを装着した状態での衣類の部位を説明する図である。
【図３】図３は、本発明におけるサポート部材の配置位置を説明する図である。
【図４】図４は、第一の実施形態の変形例に係るブラジャーを示す斜視図である。
【図５】図５（ａ）〜（ｃ）は、本発明におけるサポート部材の形状の他の例を示す図である。
【図６】図６（ａ）〜（ｃ）は、比較例のサポート部材の配置位置の例を示す図である。
【図７】図７は、ヌード状態における右バスト周辺部分を、正面斜め右側から見た図である。図７（ａ）は、立位におけるバスト周辺部分、図７（ｂ）は仰臥位におけるバスト周辺部分である。
【図８】図８は、本発明のカップ部を有する衣類のその他の例である、第五の実施形態に係るキャミソールを示す斜視図である。
【発明を実施するための形態】
【００１１】
本発明のカップ部を有する衣類について、例をあげて説明する。ただし、本発明は、以下の例に限定および制限されない。
【００１２】
（第一の実施形態）
図１Ａおよび図１Ｂに、本発明のカップ部を有する衣類の第一の実施形態に係るブラジャー１００を示す。本実施形態のブラジャー１００は、一対のカップ部１０１、一対の肩ストラップ１０２、バック布１０３、および、カップ支持部１０５を主要構成要素とする、就寝時用ブラジャーである。本実施形態のブラジャー１００は、バック布１０３が連結係止部を有していない、被って着用するタイプのブラジャーである。一対の肩ストラップ１０２は、一対のカップ部１０１の上部に設けられている。本実施形態においては、一対の肩ストラップ１０２は、背中側においてバック布１０３と一体に形成されている。前記一対のカップ部１０１は、カップ支持部１０５によって前中心部分で連結され、一体となっている。前記一体となったカップ部の両脇部には、カップ支持部１０５を介してバック布１０３が取り付けられている。
【００１３】
図１Ａにおいて、左側のバストを覆うカップ部１０１は、構造をわかりやすくするために、表カップ布１０４を外した状態で図示している。図１Ｂは表カップ布１０４を装着した状態である。カップ部１０１は、立位におけるバージスラインＶに沿う形状のカップくりＣを有し、カップくりＣの内側下部にサポート部材１１０が設けられている。サポート部材１１０は、内バージス点Ｉとバストトップ点Ｔと下カップ点Ｕとを順に結び形成される角の二等分線とバージスラインＶとの交点Ｘと、脇バージス点Ｏとを少なくとも通るように位置し、バストの膨らみの周縁部に対応する部分に沿ってカップ部１０１の下部に設けられている。
【００１４】
ここで図２を参照し、前記の各点について説明する。図２（ａ）は、立位（立っている状態）におけるヌード状態でのバスト部分の部位を説明する図であり、図２（ｂ）は、図２（ａ）において本発明のブラジャーを装着した状態での衣類の部位を説明する図である。内バージス点Ｉは、バストトップ点Ｔを通る水平線Ｌ１と、バストの膨らみの前中心側のバージスラインＶとの交点である。下カップ点Ｕは、バストトップ点Ｔを通る垂線Ｌ２と下部バージスラインＶとの交点である。脇バージス点Ｏは、バストトップ点Ｔを通る水平線Ｌ１と、バストの膨らみの脇側のバージスラインＶとの交点である。前記において、水平とは立位における左右方向を、垂直とは立位における上下方向を、それぞれ指す。
【００１５】
サポート部材１１０は、下縁部においてカップ部１０１のカップくりＣ部分またはカップ支持部１０５に取り付けられている。そして、図１の態様においては、サポート部材１１０の上端部は肩ストラップ１０２に取り付けられている。サポート部材１１０のバストトップ点Ｔ側の縁部、すなわち、カップ部１１０内を亘るように設けられている縁部は、ブラジャー１００を構成する他の部材に固定されておらず、遊離した状態となっている。
【００１６】
ここで、姿勢によるバストの動きについて説明する。図７は、ヌード状態における右バスト周辺部分を、正面斜め右側から見た図である。図７（ａ）は、立位におけるバスト周辺部分、図７（ｂ）は仰臥位におけるバスト周辺部分である。各図においては、バストの動きをわかりやすくするために、基準線および基準点を付与してある。
【００１７】
立位でのバストトップ点Ｔと内バージス点Ｉとの距離をＡ、仰臥位でのバストトップ点Ｔと内バージス点Ｉとの距離をＡ’とする。また、立位でのバストトップ点Ｔと脇バージス点Ｏとの距離をＢ、仰臥位でのバストトップ点Ｔと脇バージス点Ｏとの距離をＢ’とする。前記距離については、立位、仰臥位のいずれもバストトップ点Ｔと内バージス点Ｉとの距離の方がバストトップ点Ｔと脇バージス点Ｏとの距離よりも短く、Ａ＜ＢおよびＡ’＜Ｂ’の関係となっている。このとき、バスト内側については変化が小さく、Ａ≒Ａ’であるが、バスト外側については、Ｂ＜Ｂ’となっている。すなわち、バストトップ点Ｔを基準とすると、バスト内側よりもバスト脇側の方が広がりを有しており、姿勢変化時の変化量が大きいことがわかる。さらに、脇バージス点Ｏと内バージス点Ｉとの２点間の距離を破線で示す。仰臥位においては、バストが立位よりも広がってバージス間隔が広くなっていることがわかる。ここで、バージス間隔とは、バストトップ点Ｔと脇バージス点Ｏとの距離、および、バストトップ点Ｔと内バージス点Ｉとの距離を足し合わせた長さを意味する。そして、図中の矢印で示す箇所は、皮膚の移動が大きく生じている一方、内バージス点Ｉから図中の黒色星印の位置にかけては、皮膚の移動等の変化が小さいことがわかる。なお、この黒色星印の位置は、内バージス点Ｉとバストトップ点Ｔとバージスラインの最下点（下カップ点Ｕ）とを順に結び形成される角の二等分線とバージスラインとの交点Ｘ付近であることがわかった。発明者らは、このようなバストの形状変化に追随・対応してバストボリュームをサポートするには、姿勢変化において変化の大きい部分をサポートすることがより効果的であることを見出して本発明に至った。
【００１８】
このようなバストの形状変化に追随・対応したバストボリュームのサポートが可能である本発明のカップ部を有する衣類は、さらには、衣類のサイズ設定において境界サイズに該当する着用者においても、バストボリュームのサポートを良好に行い、着崩れ等を防ぐことが可能である。ここで、境界サイズとは、各サイズ区分で想定されている寸法範囲のうち上限近傍または下限近傍に位置する寸法を意味している。具体的には、例えば、ＪＩＳ規格では、Ｓサイズ（７２ｃｍ〜８０ｃｍ）、Ｍサイズ（７９ｃｍ〜８７ｃｍ）、Ｌサイズ（８６ｃｍ〜９４ｃｍ）、ＬＬサイズ（９３ｃｍ〜１０１ｃｍ）、３Ｌ（１００ｃｍ〜１０８ｃｍ）と規定されている。これらのＳ〜３Ｌの各サイズ範囲のうち、異なる２つのサイズに重複して設定されている寸法、例えば、ＳサイズとＭサイズでは、７９ｃｍ〜８０ｃｍが境界サイズに該当する。なお、ここでは、境界サイズとしてＪＩＳ規格に定められたＳ〜３Ｌの区分を用いた場合を説明したが、これに限定されるものではなく、他の規格によって定められたサイズ区分における境界サイズにも適用可能である。
【００１９】
図３は、本発明におけるサポート部材の配置位置を説明する図である。立位・仰臥位間での姿勢変化におけるバージスラインおよびバストの形状変化に追随・対応し、バストボリュームをサポートできる構造とするためには、サポート部材は、前記変化の小さい部位（図中二点鎖線で囲んだ領域Ｓ１）を起始部とし、前記変化の大きい部位（図中二点鎖線で囲んだ領域Ｓ２）を覆うように設けるとよい。すなわち、本発明のカップ部を有する衣類は、交点Ｘ、下カップ点Ｕおよび脇バージス点Ｏを少なくとも通るように、バストの膨らみの周縁部に対応する部分に沿ってカップ部１０１の下部にサポート部材１１０が設けられている。これにより、前記変化の大きい部分をサポートする構造とすることができる。また、サポート部材１１０は、バストトップ付近を押さえつけないため、着用時に圧迫感がなく、バストの造形も保つことができ、美しいバストシルエットを得ることができる。さらに、カップ部１０１のカップくりＣの形状は、仰臥位におけるバージスラインに沿う形状に変化可能であるとよい。
【００２０】
カップくりＣの形状は、通常の昼間用のブラジャーのカップくりの形状と異なり、前中心側において、内バージス点Ｉよりも上方まで延びていることが好ましい。仰臥位では、バストの隆起部は上方（首側方向）に移動するため、より上部までカップくりがあることで、良好な着用感を得ることができる。
【００２１】
本実施形態において、ブラジャー１００は、さらに、前側サポート部材１２０を備えている。前側サポート部材１２０は、内バージス点Ｉと、前記角の二等分線とバージスラインＶとの交点Ｘとを少なくとも通り、バストの膨らみの周縁部に対応する部分に沿ってカップ部１０１の前中心側に設けられている。そして、前側サポート部材１２０のバストトップ点Ｔ側の縁部はブラジャー１００を構成する他の部材に固定されていない。
【００２２】
サポート部材１１０と前側サポート部材１２０とは、下部バージスラインにおいて少なくとも一部が重なるように配置されていることが好ましい。また、サポート部材１１０と前側サポート部材１２０とで、バストの膨らみの周縁部を一周取り囲んでいることが好ましい。
【００２３】
なお、本発明において前側サポート部材１２０は任意に備えられる部材であるが、前側サポート部材１２０を有していることで、衣類の前中心側での浮きを抑制して、仰臥位に加え、特に側臥位でのバストボリュームの移動や衣類の着崩れを防ぐことができるので、好ましい。
【００２４】
また、サポート部材１１０と前側サポート部材１２０とは、バストトップ点Ｔ側の縁部が固定されておらず、カップくりの広がりにともない左右に開くことが可能な構造となっているので、広範なバストサイズに対応させることができる。なお、前側サポート部材１２０の方がサポート部材１１０よりも肌側に配置されている方が好適である。
【００２５】
サポート部材１１０に用いることのできる素材としては、パワーネット、ツーウェイトリコット、ワンウェイトリコネット等があげられる。前側サポート部材１２０にも同様の素材を用いることができる。
【００２６】
カップ部１０１本体（サポート部材１１０、および前側サポート部材１２０以外の部分）を構成する表カップ布１０４としては、伸縮性のある素材を使用することができる。表カップ布１０４は、左右別々に用意したものを前中心部分で連結してもよいし、左右のバストを含む胸部を覆うような一体のデザインのものを用いてもよい。
【００２７】
本実施形態のブラジャー１００においては、一対の肩ストラップ１０２は、背中側においてバック布１０３と一体に形成されている。ここで、肩ストラップ１０２は、カップ部１０１を肩から吊り下げるものであればよく、本実施形態のブラジャー１００のようにタンクトップのような幅の広い、いわゆるラウンドタイプのストラップには限定されず、紐や布テープであってもよい。肩ストラップ１０２の態様は、一対のカップ部１０１に対応して一対の肩ストラップ１０２がそれぞれカップ部上部とバック布１０３とに連結される態様に限定されず、例えば、背中側で２本の肩ストラップ１０２が一体となりバック布１０３に取り付けられる態様であってもよい。また、カップ部１０１のみに肩ストラップ１０２が取り付けられている、いわゆる「ホルターネック」タイプであってもよい。肩ストラップ１０２の取り付け位置は、カップ部１０１の形状やカップ部を有する衣類のデザインによって決定することができる。
【００２８】
本例のブラジャーでは、連結係止部を有していないバック布１０３を使用しているが、着脱自在な連結係止部を背中心付近に有している態様とすることもできる。前記連結係止部としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。また、バック布が連結係止部を有さないフロントホックタイプや、バック布を結んで係止するタイプであってもよい。
【００２９】
図４に、本発明のカップ部を有する衣類の第一の実施形態の変形例に係るブラジャー１００Ａの斜視図を示す。本変形例のブラジャー１００Ａは、第一の実施形態に係るブラジャー１００において、表カップ布１０４を有していない構成である。本変形例においては、カップ部１０１は、実質的にサポート部材１１０および前側サポート部材１２０のみから構成され、バストの一部を露出させた状態で保持するように形成されている。なお、本変形例においても、前側サポート部材１２０は任意に備えられる部材であるが、前側サポート部材１２０を有していることで、側臥位でのバストボリュームの移動や衣類の着崩れを防ぐことができるので、好ましい。
【００３０】
（第二の実施形態）
図５（ａ）に、本発明のカップ部を有する衣類の第二の実施形態に係るブラジャー２００におけるサポート部材２１０の形状を示す。本実施形態でのサポート部材２１０は、その上縁部が脇バージス点Ｏの上方の位置と前記交点Ｘとを結ぶ線上になるような形状である。本実施形態におけるサポート部材２１０は、第一の実施形態におけるサポート部材１１０とは異なり、上端部は肩ストラップまで延びていない。しかし、本実施形態のブラジャー２００は、立位・仰臥位間での姿勢変化におけるバージスラインおよびバストの形状変化に追随・対応し、バストボリュームをサポートすることができた。
【００３１】
（第三の実施形態）
図５（ｂ）に、本発明のカップ部を有する衣類の第三の実施形態に係るブラジャー３００におけるサポート部材３１０の形状を示す。本実施形態でのサポート部材３１０は、前中心側の端部は前記交点Ｘ付近であり、前記実施形態と同様であるが、脇側の上縁部は前中心側におけるカップくりの高さと略同一の高さまで延びている。本実施形態のブラジャー３００も、同様に、立位・仰臥位間での姿勢変化におけるバージスラインおよびバストの形状変化に追随・対応し、バストボリュームをサポートすることができた。
【００３２】
（第四の実施形態）
図５（ｃ）に、本発明のカップ部を有する衣類の第四の実施形態に係るブラジャー４００におけるサポート部材４１０の形状を示す。本実施形態でのサポート部材４１０は、前中心側の端部は前記交点Ｘ付近であり、前記実施形態と同様であるが、脇側の上縁部は肩ストラップの上端まで延びている。本実施形態のブラジャー４００も、同様に、立位・仰臥位間での姿勢変化におけるバージスラインおよびバストの形状変化に追随・対応し、バストボリュームをサポートすることができた。本実施形態においては、サポート部材４１０が上方まで延びていることで、バストボリュームの大きい場合にもバスト上部をより良好にサポートすることができる。
【００３３】
（比較例）
図６（ａ）〜（ｃ）は、比較例のサポート部材の配置位置の例を示す図である。各図において、サポート部材の位置に斜線を付与している。図６（ａ）のサポート部材は、交点Ｘは通っているが脇バージス点Ｏには至っていない。図６（ｂ）のサポート部材は、交点Ｘは通り脇バージス点Ｏには至っていないが、前中心側は内バージス点Ｉまで延びている。図６（ｃ）のサポート部材は、脇側においては脇バージス点Ｏの上方まで延びているが、前中心側は交点Ｘを含まない位置に形成されている。これらのサポート部材を備えたブラジャーは、いずれも、立位・仰臥位間での姿勢変化におけるバージスラインおよびバストの形状変化への追随・対応が十分ではなく、バストボリュームのサポートも不十分なものであった。図５（ａ）に示すサポート部材の形状と比較すると、カップくりＣの周上の長さが確保されているだけでは効果が得られず、交点Ｘおよび脇バージス点Ｏを含むようにサポート部材が形成されていることが必要であることがわかる。
【００３４】
（第五の実施形態）
図８に、本発明のカップ部を有する衣類のその他の例である、第五の実施形態に係るキャミソール５００の斜視図を示す。このキャミソール５００のブラジャー相当部分は、図１で説明した第一の実施形態のブラジャー１００とほぼ同一の概念のもとに設計されている。本態様においては、キャミソール５００は、カップ支持部１０５の下側に、胸下部身頃５３０を有している。その他の態様は図１に示したブラジャー１００と実質上同一であり、同一部分には同一の符号を付して、重複する説明を省略している。ここでは、第一の実施形態に係るブラジャー１００とほぼ同一概念のもとに設計されたブラジャー相当部分を有するキャミソールについて説明したが、本発明はこれに限定されず、他の実施形態に係るブラジャー相当部分を有するキャミソールとすることもできる。本例においては、バック布１０３がない態様としてもよい。
【００３５】
本実施形態においては、ブラジャー相当部分の下側に身頃を設ける態様に限られず、キャミソールの身頃内側にブラジャー相当部分を設けてもよい。この場合、キャミソールは、ブラジャー相当部分を覆うように身頃を有している。このような構成にすることにより、本発明の効果を有しつつ、着用時の外観のバリエーションを多様にすることができる。また、カップ部を、よりアウターにひびかなくすることもできる。
【００３６】
（着用主観評価）
図１に示すタイプの本発明に係るブラジャー１００を作製し、着用評価を行った。複数名のモニターに、前記ブラジャー１００、および、従来品のブラジャーＡまたは従来品のブラジャーＢを、それぞれ２日間ずつ着用してもらい、着用感のコメントを求めた。従来品のブラジャーＡは、特許文献１に記載のブラジャーの一態様である。すなわち、左右バストの隆起部の外輪郭線を仰臥姿勢時の脇側広がりで且つ上広がりの外輪郭線で規定し、外輪郭線に囲まれた内部の左右カップ部には、その中央部を大略逆Ｕ字状に囲む前側サポート部、上側サポート部、脇側サポート部を設け、これらサポート部のうち前側サポート部のサポート力を最も大とした特許文献１に記載のブラジャーの一態様である。従来品のブラジャーＢは、特許文献２に記載のブラジャーの一態様である。すなわち、バストを覆うフルカップ状とした左右カップ部のトップ部より前中央寄りの左右カップ前側部を前中央部を挟んで連続させた部位に、前中央サポート部を設け、前中央サポート部の上下両側部は、左右カップ部のトップ部を囲む上部側および下部側へと延在するように左右方向に広げ、上側部は少なくともストラップとの連続位置まで位置させている一方、前中央サポート部に連続してトップ部を覆う左右カップ部の中央部は、前中央サポート部よりも保持力が弱いカップ中央弱サポート部とし、かつ、カップ中央弱サポート部は前中央サポート部よりも伸びやすくしている特許文献２に記載のブラジャーの一態様である。モニターの内訳は、従来品のブラジャーＡのＭサイズのモニターが１０名、従来品のブラジャーＢのＬサイズのモニターが９名、ＬＬサイズのモニターが１０名の、計２９名である。この内７名がＭサイズとＬサイズとの境界サイズである。
【００３７】
上記の結果、バストが安定していたのは、２９名中２２名が本発明のブラジャーであると回答した。特に、境界サイズの７名については、６名が本発明のブラジャーがバストが安定していたと回答し、１名は本発明品と従来品とは同等であったと回答した。着崩れなかったのは、２９名中１４名が本発明のブラジャーであると回答し、１０名が本発明品と従来品とは同等であったと回答した。快適に眠れたのは、２９名中１５名が本発明のブラジャーであると回答し、６名が本発明品と従来品とは同等であったと回答した。また、生活を考慮したときの満足度を訊ねたところ、満足度が高いのは２９名中１９名が本発明のブラジャーであると回答し、３名が本発明品と従来品とは同等であったと回答した。本発明のブラジャーで満足度が高いと回答したモニターからは、「支え感があるのに楽である」、「着け心地がよく苦しくない」、「全体的にバストが優しく包まれている」、「就寝時以外でも使える」、「起きているときも快適」、「アウターにひびかない」等の意見が得られた。
【００３８】
（着用客観評価）
図１に示すタイプの本発明に係るブラジャー１００について、着用客観評価を行った。日中用のブラジャーの着用状態と本発明品の着用状態とを比較すると、仰向けに寝ている状態（仰臥位）および横向きに寝ている状態（側臥位）においては、日中用のブラジャーを着用した場合は、バストがカップからはみ出してしまったが、本発明品では、ストレスのないベストな位置にバストがキープできていた。また、立位においても、良好な形状になっていた。
【００３９】
本発明のブラジャーは、主観、客観ともに、就寝時等の仰臥位および側臥位におけるバストを安定保持しており、着用時の立位のバストシルエットも美しくなっていることがわかった。
【００４０】
以上、実施の形態の具体例として、ブラジャーおよびキャミソールをあげて本発明を説明したが、本発明のカップ部を有する衣類は、これらの具体例で記載されたもののみに限定されるものではなく、種々の態様が可能である。例えば、上記の実施形態のような衣類以外にも、ボディースーツ、ブラスリップ、水着、レオタード、その他各種のカップ部を有する衣類に適用できる。また、前中心を係脱自在のホックで連結するフロントホックタイプの衣類にも適用できる。
【産業上の利用可能性】
【００４１】
本発明のカップ部を有する衣類は、種々の態様が可能である。例えば、上記の実施形態のような衣類以外にも、ファンデーション衣類、スポーツ衣類、アウターなど、各種のカップ部を有する衣類に適用できる。
【符号の説明】
【００４２】
１００、１００Ａ、２００、３００、４００  ブラジャー
５００  キャミソール
１０１  カップ部
１０２  肩ストラップ
１０３  バック布
１０４  表カップ布
１０５  カップ支持部
１１０、２１０、３１０、４１０  サポート部材
１２０  前側サポート部材
５３０  身頃
Ｉ  内バージス点
Ｏ  脇バージス点
Ｕ  下カップ点
Ｘ  交点
Ｔ  バストトップ点
Ｖ  バージスライン
Ｃ  カップくり
【図１Ａ】
2015190079.tif 000003
【図１Ｂ】
2015190079.tif 000004
【図２】
2015190079.tif 000005
【図３】
2015190079.tif 000006
【図４】
2015190079.tif 000007
【図５】
2015190079.tif 000008
【図６】
2015190079.tif 000009
【図７】
2015190079.tif 000010
【図８】
2015190079.tif 000011